(57)【要約】      （修正有）【課題】実際の配合前に所望のオクタン価の燃料油が得られるように、配合する基材の配合比率を提供する方法の提供。【解決手段】ユーザ端末１０にネットワーク４０を介して接続されたサーバ２０により実行され、ユーザ端末１０から複数のユーザ基材ごとの少なくとも密度、パラフィン、オレフィン、ナフテン及び芳香族化合物の組成、蒸留性状およびオクタン価を含む基材情報を取得する工程と、基礎情報の参照補正係数を含む参照情報が記録されている補正データベース３０を参照して、ユーザ基材の基材情報と最も近い参照情報を有する参照基材のオクタン価の参照補正係数から、複数のユーザ基材ごとにユーザ補正係数を特定する工程と、特定された各々のユーザ補正係数に基づいて、所定のオクタン価の燃料油となるようにユーザ基材の配合比率を算出する工程と、算出された配合比率をユーザ端末に送信する工程と、をこの順に実行する、基材の配合比率の提供方法。【選択図】図１
2018203926.tif 000002
【特許請求の範囲】
【請求項１】
互いに異なる組成を有する複数の基材を配合して燃料油を得るために用いる基材の配合比率を提供する方法であって、
前記方法は、ユーザ端末にネットワークを介して接続されたサーバにより実行され、
前記方法は、
前記ユーザ端末から複数のユーザ基材ごとの少なくとも密度、パラフィン、オレフィン、ナフテン及び芳香族化合物の組成、蒸留性状およびオクタン価を含む基材情報を取得する工程と、
複数種類の参照基材ごとの密度、パラフィン、オレフィン、ナフテン及び芳香族化合物の組成、蒸留性状およびオクタン価の参照補正係数を含む参照情報が記録されている補正データベースを参照して、前記ユーザ基材の前記基材情報と最も近い参照情報を有する前記参照基材のオクタン価の参照補正係数から、複数の前記ユーザ基材ごとにユーザ補正係数を特定する工程と、
特定された各々の前記ユーザ補正係数に基づいて、所定のオクタン価の燃料油となるように前記ユーザ基材の配合比率を算出する工程と、
算出された前記配合比率を前記ユーザ端末に送信する工程と、
をこの順に実行する、基材の配合比率の提供方法。
【請求項２】
前記ユーザ補正係数を特定する工程において、前記補正データベースを参照して、複数種類毎に取得した前記基材情報と一致する参照情報を有する前記基材のオクタン価の参照補正係数を、前記ユーザ基材の少なくとも１つのオクタン価のユーザ補正係数として特定する、
請求項１に記載の基材の配合比率の提供方法。
【請求項３】
前記ユーザ補正係数を特定する工程において、前記補正データベースを参照して、複数種類毎に取得した前記基材情報と最も近い参照情報を有する前記基材のオクタン価の参照補正係数を、前記ユーザ基材の少なくとも１つのオクタン価のユーザ補正係数として特定する、
請求項１に記載の基材の配合比率の提供方法。
【請求項４】
前記ユーザ補正係数を特定する工程において、前記補正データベースを参照して、複数種類毎に取得した前記基材情報と近い参照情報を有する複数の前記基材のオクタン価の参照補正係数から、前記ユーザ基材の少なくとも１つのオクタン価のユーザ補正係数を予測して特定する、
請求項１に記載の基材の配合比率の提供方法。
【請求項５】
特定した前記ユーザ補正係数を前記参照補正係数として、前記基材情報を前記補正データベースに蓄積する、請求項３または請求項４に記載の基材の配合比率の提供方法。
【請求項６】
前記ユーザ端末から得たい燃料油の目標オクタン価を取得する工程を含む、請求項１〜請求項５のいずれか一項に記載の基材の配合比率の提供方法。
【請求項７】
前記補正データベースは、複数種類の前記基材のそれぞれに応じた、密度［ｇ／ｃｍ３］、蒸気圧［ｋＰａ］、蒸留性状［℃］、総発熱量［ｃａｌ／ｇ］、ＰＲＴＲ対象物質濃度［ｖｏｌ％］、パラフィン濃度［ｖｏｌ％］、オレフィン濃度［ｖｏｌ％］、ナフテン濃度［ｖｏｌ％］、アロマ濃度［ｖｏｌ％］の補正係数の少なくとも一つを含む物性補正係数を含み、
前記サーバにより、前記物性補正係数に基づいて、前記配合比率で配合された前記燃料油の密度［ｇ／ｃｍ３］、蒸気圧［ｋＰａ］、蒸留性状［℃］、総発熱量［ｃａｌ／ｇ］、ＰＲＴＲ対象物質濃度［ｖｏｌ％］、パラフィン濃度［ｖｏｌ％］、オレフィン濃度［ｖｏｌ％］、ナフテン濃度［ｖｏｌ％］、アロマ濃度［ｖｏｌ％］の少なくとも一つを含む燃料油の物性を算出し、前記ユーザ端末に送信する、請求項１〜請求項６のいずれか一項に記載の基材の配合比率の提供方法。
【発明の詳細な説明】
【技術分野】
【０００１】
本発明は、燃料油を得るために用いる基材の配合比率を提供する方法に関する。
【背景技術】
【０００２】
レギュラーガソリンのオクタン価（リサーチ法）は８９以上と定められている（非特許文献１）。そこで、石油元売会社はオクタン価が８９以上となるように基材をブレンドし、得られた燃料油をレギュラーガソリンとして販売している。
しかし、オクタン価が８８の基材とオクタン価が９０の基材とを同量混ぜ合わせて燃料油を得た場合、必ずしもそのオクタン価が８９になるとは限らない（特許文献１）。そこで石油元売会社は、例えば単純計算上はオクタン価が９０になるように基材をブレンドすることにより、オクタン価が８９以上の燃料油を生成している。しかし、このようにして得られた燃料油はオーバースペックである。規格の下限値（例えば８９）を狙って基材をブレンドすることができれば、資源を有効に利用でき、かつ、ユーザに安価に適正な品質の燃料油を提供することができる。
【先行技術文献】
【特許文献】
【０００３】
【特許文献１】特開２０１４−２５０７７号公報
【非特許文献】
【０００４】
【非特許文献１】ＪＩＳ  Ｋ  ２２０２：２００７
【発明の概要】
【発明が解決しようとする課題】
【０００５】
従来の方法では、上述のように配合する基材によって、得られる燃料油のオクタン価の変動は異なり、単純計算ではオクタン価を予測することが困難であった。所望のオクタン価の燃料油となるように基材の配合比率を特定するためには、複数種類の基材の配合比率を変化させて複数回調合し、得られた燃料油のオクタン価を調べるという試行錯誤を繰り返す必要があり、石油元売会社にとって著しい負担となる。さらに、既存の基材だけを使用した場合の燃料油のオクタン価の変動についてある程度経験則から予測できるようになったとしても、製油所において既存の取引先とは別の取引先から得られる新しい基材を使用する場合は、既存の基材についての経験則だけでは正確な燃料油のオクタン価を予測することは困難であった。
【０００６】
本発明は、新たな基材を用いる場合でも、実際の配合前に所望のオクタン価の燃料油が得られる基材の配合比率を提供する方法を提供することを目的とする。
【課題を解決するための手段】
【０００７】
上記目的を達成するために、本発明の一側面によれば以下が提供される。
互いに異なる組成を有する複数の基材を配合して燃料油を得るために用いる基材の配合比率を提供する方法であって、
前記方法は、ユーザ端末にネットワークを介して接続されたサーバにより実行され、
前記方法は、
前記ユーザ端末から複数のユーザ基材ごとの少なくとも密度、パラフィン、オレフィン、ナフテン及び芳香族化合物の組成、蒸留性状およびオクタン価を含む基材情報を取得する工程と、
複数種類の参照基材ごとの密度、パラフィン、オレフィン、ナフテン及び芳香族化合物の組成、蒸留性状およびオクタン価の参照補正係数を含む参照情報が記録されている補正データベースを参照して、前記ユーザ基材の前記基材情報と最も近い参照情報を有する前記参照基材のオクタン価の参照補正係数から、複数の前記ユーザ基材ごとにユーザ補正係数を特定する工程と、
特定された各々の前記ユーザ補正係数に基づいて、所定のオクタン価の燃料油となるように前記ユーザ基材の配合比率を算出する工程と、
算出された前記配合比率を前記ユーザ端末に送信する工程と、
をこの順に実行する、基材の配合比率の提供方法。
【発明の効果】
【０００８】
本発明によれば、新たな基材を用いる場合でも、実際の配合前に所望のオクタン価の燃料油が得られる基材の配合比率を提供する方法を提供することができる。
【図面の簡単な説明】
【０００９】
【図１】基材の配合比率を提供するシステムの全体構成図である。
【図２】基材の配合比率を提供する方法のフローチャートである。
【図３】ユーザ端末の表示部に表示させる入力画面の一例である。
【図４】補正データベースに記憶されている情報を示す図である。
【図５】ユーザ端末の表示部に表示させる出力画面の一例である。
【図６】ユーザ基材のオクタン価の補正係数を特定する方法の一例を示すフローチャートである。
【図７】ユーザ基材のオクタン価の補正係数を特定する方法の一例を示すフローチャートである。
【発明を実施するための形態】
【００１０】
本実施形態の配合比率の提供システムはユーザが所望のオクタン価の燃料油を得るために基材を配合する時に用いられる。
【００１１】
図１は、本発明の実施形態に係る基材の配合比率を提供する方法を行うシステムの全体構成図である。図１に示すように、提供システムは、ユーザ端末１０と、演算処理手段を備えるサーバ２０と、補正データベース３０とを有している。ユーザ端末１０はサーバ２０とネットワーク４０を介して互いに通信可能に構成されている。サーバ２０と補正データベース３０とは互いに通信可能に構成されている。サーバ２０は単一のサーバで構成してもよいし、複数台のサーバで構成してもよい。
【００１２】
ユーザ端末１０は、表示部を有している。この表示部は例えば液晶画面であり、またタッチパネルディスプレイであってもよい。
補正データベース３０は、複数種類の参照基材それぞれに応じた密度、パラフィン、オレフィン、ナフテン及び芳香族化合物の組成、蒸留性状およびオクタン価の参照補正係数を含む参照情報を記録している。
【００１３】
図２は、基材の配合比率を提供する方法のフローチャートである。図２に示すように、サーバ２０はユーザ端末１０から目標オクタン価を取得する（ステップ０１）。目標オクタン価とはユーザが基材を調合した結果得ようとする調合油（燃料油）のオクタン価である。本実施形態においては、目標オクタン価として、リサーチ法オクタン価（ＲＯＮ）を取得させてもよいし、モータ法オクタン価（ＭＯＮ）を取得させてもよい。
【００１４】
図２に示すように、サーバ２０はステップ０１に続いて複数のユーザ基材ごとに基材情報を取得する（ステップ０２）。
図３は、ユーザにユーザ基材の情報を入力させる場合に、ユーザ端末１０に表示させる画面の一例である。ユーザはユーザ端末１０の表示部に表示される入力画面を利用して、基材の情報を入力することができる。ユーザ端末１０は表示部に、複数の基材の少なくとも密度、パラフィン、オレフィン、ナフテン及び芳香族化合物の組成、蒸留性状およびオクタン価を含む情報を入力させるための画面を表示させる。なお、本明細書において「蒸留性状」とは、流動床接触分解装置から留出する基材の、例えば１０容量％留出温度（Ｔ１０）［℃］、５０容量％留出温度（Ｔ５０）［℃］、９０容量％留出温度（Ｔ９０）［℃］を指す。
【００１５】
図２に示すように、サーバ２０は取得した複数のユーザ基材の基材情報に基づいて補正データベース３０を参照する（ステップＳ０３）。
図４は、補正データベースに記録されている複数種類の参照基材の参照情報を示す図である。サーバ２０は、補正データベース内の参照情報と、入力されたユーザ基材の基材情報とを照合し、ユーザ基材のユーザ補正係数を特定する（ステップＳ０４）。
【００１６】
ここで、本実施形態の配合比率の提供システムにおいて、サーバ２０が補正データベース３０を参照して、図３に示すユーザ基材α、ユーザ基材β及びユーザ基材γのユーザ補正係数を特定する方法を詳しく説明する。
【００１７】
図６は、サーバ２０が補正データベース３０を参照して、ユーザ補正係数を特定する方法のフローチャートである。図６に示すように、サーバ２０はユーザ端末１０から取得したユーザ基材の基材情報に基づいて図４に示す補正データベース３０に記録されている参照情報を参照し、補正データベース３０内の参照基材についての参照情報のうちユーザ基材のユーザ情報と最も近い参照情報を照合する。
【００１８】
サーバ２０は、補正データベース内にユーザ基材の基材情報と一致する参照基材の参照情報があるか判定する（ステップＳ４１）。サーバ２０は、ユーザ基材の基材情報と一致する参照基材の参照情報がある場合、基材情報と一致した参照基材の参照補正係数をユーザ基材のユーザ補正係数として特定する（ステップＳ４２）。サーバ２０は、ユーザ基材の基材情報と一致する参照基材の参照情報がない場合、ユーザ基材の基材情報と最も近い参照情報を有する参照基材の参照補正係数をユーザ基材のユーザ補正係数として特定する（ステップＳ４３）。この際、サーバ２０は、ユーザ基材及び参照基材それぞれの密度を照合して、ユーザ基材の基材情報と最も近い参照情報を有する参照基材を決定する。
【００１９】
具体的に説明する。図３に示すユーザ基材のユーザ補正係数をサーバ２０が特定する場合において、まず、サーバ２０は、補正データベース内にユーザ基材αのユーザ情報と一致する参照基材の参照情報があるか否かを判定する（ステップＳ４１）。参照基材Ａの参照情報は、ユーザ基材αのユーザ情報と一致している（ステップＳ４１：ＹＥＳ）。そこで、ユーザ基材αの基材情報と一致した参照基材Ａの参照補正係数をユーザ基材のユーザ補正係数として特定する（ステップＳ４２）。続いて、サーバ２０は、補正データベース内にユーザが入力したユーザ基材βのユーザ情報と一致する参照基材の参照情報があるか否かを判定する（ステップＳ４１）。ユーザ基材βのユーザ情報と一致する参照基材の参照情報はない（ステップＳ４１：ＮＯ）。そこで、ユーザ基材βの密度と最も近い密度を有する参照基材Ｂの参照補正係数をユーザ基材のユーザ補正係数として特定する（ステップＳ４３）。最後に、サーバ２０は、補正データベース内にユーザが入力したユーザ基材γのユーザ情報と一致する参照基材の参照情報があるか否かを判定する（ステップＳ４１）。ユーザ基材γのユーザ情報と一致する参照基材の参照情報はない（ステップＳ４１：ＮＯ）。そこで、ユーザ基材γの密度と最も近い密度を有する参照基材Ｅの参照補正係数をユーザ基材のユーザ補正係数として特定する（ステップＳ４３）。
【００２０】
図２に戻り、全ての複数のユーザ基材のオクタン価のユーザ補正係数が特定されると、サーバ２０は特定されたオクタン価のユーザ補正係数に基づいて、所定のオクタン価の燃料油を得られるようにユーザ基材の配合比率を算出する（ステップＳ０５）。なお、オクタン価の補正係数は、基材の配合比率の関数であり、ユーザ基材α、ユーザ基材β及びユーザ基材γのオクタン価をそれぞれＸα、Ｘβ及びＸγ、ユーザ基材α、ユーザ基材β及びユーザ基材γの配合比率（体積％）をそれぞれＶα、Ｖβ及びＶγ、ユーザ基材α、ユーザ基材β及びユーザ基材γのオクタン価の補正係数をそれぞれＦα（Ｖα）、Ｆβ（Ｖβ）及びＦγ（Ｖγ）としたとき、燃料油のオクタン価Ｘは下記式により表される。
Ｘ＝Ｆα（Ｖα）×Ｘα＋Ｆβ（Ｖβ）×Ｘβ＋Ｆγ（Ｖγ）×Ｘγ
【００２１】
サーバ２０は、この燃料油のオクタン価Ｘが所定の値になるように、ユーザ基材α、ユーザ基材β及びユーザ基材γの配合比率（体積％）であるＶα、Ｖβ及びＶγをそれぞれ算出し、ユーザ端末１０に送信する（ステップＳ０６）。図５は、ユーザ端末１０の表示部に表示させる、ユーザ基材の配合比率を示す画面の一例であり、燃料油の目標リサーチ法オクタン価を８９とした時に、本実施形態に係る方法により提供される図３に示されるユーザ基材α、ユーザ基材β及びユーザ基材γの配合比率を示している。
【００２２】
図３に示されるユーザ基材α、ユーザ基材β及びユーザ基材γのリサーチ法オクタン価を用いてリサーチ法オクタン価が８９である燃料油を得たい場合、例えばユーザ基材αを５５体積％、ユーザ基材βを１８体積％、ユーザ基材γを２７体積％で配合すれば、単純計算でオクタン価が８９．１の燃料油が得られると算出される。しかしながら、この配合割合で燃料油を得た場合の実際の燃料油のオクタン価は８８．１であり、レギュラーガソリンの基準である８９を下回ってしまっていた。
一方、図５に示す本実施形態により算出されたユーザ基材α、ユーザ基材β及びユーザ基材γの配合比率で燃料油を得た場合のリサーチ法オクタン価は８９．１であり、レギュラーガソリンの基準を達成できていた。この時のユーザ基材αのユーザ補正係数は１．０３であり、ユーザ基材βのユーザ補正係数は１．１２であり、ユーザ基材γのユーザ補正係数は０．９２であった。
【００２３】
以上の本実施形態によれば、新たな基材を用いる場合でも、また既存の基材を用いる場合でも、実際の配合前に所望のオクタン価の燃料油が得られるように、配合する基材の配合比率を提供することができる。実際に燃料油を得るために基材を配合する現場では、新たに製油所を稼働させる際使用する基材の情報は把握していてもオクタン価と配合比のみでは燃料油のオクタン価の予測ができず、所定の規格を下回らないようにオクタン価を意図的に高くなるような配合比で配合していた。しかしこの場合、得られる燃料油はオーバースペックであることが多く、資源を有効に利用できているとは言い難かった。上記の実施形態によれば、ユーザに安価に適正な品質の燃料油を提供することができる。
【００２４】
また、前記実施形態において、図７に示すように、サーバ２０は、ユーザ基材の基材情報と一致する参照基材の参照情報がない場合、ユーザ基材の基材情報と近い参照情報を有する複数の参照基材の参照補正係数に基づいてユーザ基材のユーザ補正係数を予測して特定してもよい（ステップＳ１４３）。図７は、サーバ２０が補正データベース３０を参照して、ユーザ補正係数を特定する方法の変形例を示すフローチャートである。
【００２５】
当該変形例において、サーバ２０は、補正データベース内にユーザ基材αのユーザ情報と一致する参照基材の参照情報があるか否かを判定する（ステップＳ４１）。参照基材Ａの参照情報は、ユーザ基材αのユーザ情報と一致している（ステップＳ４１：ＹＥＳ）。そこで、ユーザ基材αの基材情報と一致した参照基材Ａの参照補正係数をユーザ基材のユーザ補正係数として特定する（ステップＳ４２）。続いて、サーバ２０は、補正データベース内にユーザが入力したユーザ基材βのユーザ情報と一致する参照基材の参照情報があるか否かを判定する（ステップＳ４１）。ユーザ基材βのユーザ情報と一致する参照基材の参照情報はない（ステップＳ４１：ＮＯ）。そこで、ユーザ基材βの密度と近い密度を有する参照基材Ｂ、参照基材Ｃ及び参照基材Ｄの参照補正係数に基づいてユーザ補正係数を予測して特定する（ステップＳ１４３）。最後に、サーバ２０は、補正データベース内にユーザが入力したユーザ基材γのユーザ情報と一致する参照基材の参照情報があるか否かを判定する（ステップＳ４１）。ユーザ基材γのユーザ情報と一致する参照基材の参照情報はない（ステップＳ４１：ＮＯ）。そこで、ユーザ基材γの密度と近い密度を有する参照基材Ｅ及び参照基材Ｆの参照補正係数に基づいてユーザ補正係数を予測して特定する（ステップＳ１４３）。ユーザ補正係数の予測は例えば、内挿法、外挿法及び／又はニュートン法などを用いることができる。
【００２６】
この変形例によれば、補正データベース３０内に保存された参照基材の参照情報とオクタン価の参照補正係数とにより、ユーザ基材のユーザ補正係数を精度高く予測することが可能となり、新たな基材を用いる場合でも、実際の配合前に所望のオクタン価の燃料油が得られるように、配合する基材の配合比率を提供することができる。
【００２７】
なお、上記の実施形態では、リサーチ法オクタン価を入力させ、目標とするリサーチ法オクタン価となるように、補正係数を参照させて配合比率を算出したが、モータ法オクタン価を入力させ、目標とするモータ法オクタン価となるように、補正係数を参照させて配合比率を算出してもよい。また、あらかじめ目標オクタン価が決められている場合は、目標オクタン価を取得する工程を省略してもよい。
【００２８】
また、上記の実施形態では、サーバ２０は、ユーザ基材の基材情報と最も近い参照情報を有する参照基材を決定する際にユーザ基材の密度を照合していたが、少なくとも密度、パラフィン、オレフィン、ナフテン及び芳香族化合物の組成、蒸留性状及びオクタン価からなる群から選ばれる単一又は複数の指標を照合して、ユーザ基材の基材情報と最も近い参照情報を有する参照基材を決定してもよい。サーバ２０が、ユーザ基材の基材情報と近い参照情報を有する参照基材を決定する際においても同様に、少なくとも密度、パラフィン、オレフィン、ナフテン及び芳香族化合物の組成、蒸留性状及びオクタン価からなる群から選ばれる単一又は複数の指標を照合して、ユーザ基材の基材情報と最も近い参照情報を有する参照基材を決定してもよい。
【００２９】
上述した説明において、ステップＳ４３およびステップＳ１４３では、ユーザ基材の基材情報と一致する参照基材の参照情報がない場合にも、ユーザ基材のユーザ補正係数を特定した。そこで、特定したユーザ基材のユーザ補正係数を参照補正係数として、ユーザ基材の基材情報を補正データベース３０に蓄積させてもよい。これにより、補正データベース３０に蓄積された参照情報を増やすことができ、ユーザ補正係数の特定の制度を向上させることができる。
【００３０】
また、上記の実施形態において、補正データベース３０に、複数種類の基材のそれぞれに応じた、密度［ｇ／ｃｍ３］、蒸気圧［ｋＰａ］、蒸留性状［℃］、総発熱量［ｃａｌ／ｇ］、ＰＲＴＲ対象物質濃度［ｖｏｌ％］、パラフィン濃度［ｖｏｌ％］、オレフィン濃度［ｖｏｌ％］、ナフテン濃度［ｖｏｌ％］、アロマ濃度［ｖｏｌ％］の補正係数の少なくとも一つを含む物性補正係数を記録させてもよく、サーバ２０に、物性補正係数に基づいて、燃料油の密度［ｇ／ｃｍ３］、蒸気圧［ｋＰａ］、蒸留性状［℃］、総発熱量［ｃａｌ／ｇ］、ＰＲＴＲ対象物質濃度［ｖｏｌ％］、パラフィン濃度［ｖｏｌ％］、オレフィン濃度［ｖｏｌ％］、ナフテン濃度［ｖｏｌ％］、アロマ濃度［ｖｏｌ％］の少なくとも一つを含む燃料油の物性を算出させ、前記ユーザ端末１０に送信させてもよい。この構成によれば、所望のオクタン価の燃料油を得るための配合比率を得るのみならず、得られる燃料油の物性を予測することが可能となる。
【符号の説明】
【００３１】
１０：ユーザ端末、２０：サーバ、３０：補正データベース、４０：ネットワーク
【図１】
2018203926.tif 000003
【図２】
2018203926.tif 000004
【図３】
2018203926.tif 000005
【図４】
2018203926.tif 000006
【図５】
2018203926.tif 000007
【図６】
2018203926.tif 000008
【図７】
2018203926.tif 000009